(57)【要約】【課題】  異周波数への遷移の再指示を適切に抑制することを可能とすることを移動通信システム、ネットワーク装置及び移動通信方法を提供する。【解決手段】  移動通信システム１００は、複数の周波数のいずれかである遷移元周波数をＵＥ１０が利用すべきではない条件が満たされる場合に、複数の周波数の中から、遷移先周波数を選択するように構成された選択部２５と、ＵＥ１０に対して、選択部２５によって選択された遷移先周波数への遷移を指示するように構成された指示部２２とを備える。選択部２５は、遷移先周波数への遷移を指示してから経過した経過時間が所定時間を超えるまで、ＵＥ１０が利用すべき周波数の候補から遷移元周波数を除外する。【選択図】  図３
2011199774.tif 000002
【特許請求の範囲】
【請求項１】
所定エリアにおいて、複数の周波数を利用可能に構成された移動通信システムであって、
前記複数の周波数のいずれかである遷移元周波数を移動通信端末が利用すべきではない条件が満たされる場合に、前記複数の周波数の中から、遷移先周波数を選択するように構成された選択部と、
前記移動通信端末に対して、前記選択部によって選択された前記遷移先周波数への遷移を指示するように構成された指示部とを備え、
前記選択部は、前記遷移先周波数への遷移を指示してから経過した経過時間が所定時間を超えるまで、前記移動通信端末が利用すべき周波数の候補から前記遷移元周波数を除外することを特徴とする移動通信システム。
【請求項２】
所定エリアにおいて、複数の周波数を利用可能に構成された移動通信システムであって、
前記複数の周波数のいずれかである遷移元周波数を移動通信端末が利用すべきではない条件が満たされる場合に、前記複数の周波数の中から、遷移先周波数を選択するように構成された選択部と、
前記移動通信端末に対して、前記選択部によって選択された前記遷移先周波数への遷移を指示するように構成された指示部と、
前記遷移先周波数への遷移を指示する場合に、前記移動通信端末の位置情報である第１位置情報を取得するように構成されており、前記移動通信端末が利用すべき周波数を再選択する条件が満たされる場合に、前記移動通信端末の位置情報である第２位置情報を取得するように構成された取得部とを備え、
前記選択部は、前記移動通信端末が利用すべき周波数を再選択する条件が満たされる場合に、前記第１位置情報及び第２位置情報によって特定される距離が所定距離よりも近い場合に、前記移動通信端末が利用すべき周波数の候補から前記遷移元周波数を除外することを特徴とする移動通信システム。
【請求項３】
前記遷移元周波数を前記移動通信端末が利用すべきではない条件は、前記移動通信端末のアクセスが制限された特定セルで用いる周波数が前記遷移元周波数と同じであることであることを特徴とする請求項１又は請求項２に記載の移動通信システム。
【請求項４】
前記遷移元周波数を前記移動通信端末が利用すべきではない条件は、前記遷移元周波数において前記移動通信端末が受ける干渉量が所定干渉量を超えることであることを特徴とする請求項１又は請求項２に記載の移動通信システム。
【請求項５】
所定エリアにおいて、複数の周波数を利用可能に構成された移動通信システムに設けられるネットワーク装置であって、
前記複数の周波数のいずれかである遷移元周波数を移動通信端末が利用すべきではない条件が満たされる場合に、前記複数の周波数の中から、遷移先周波数を選択するように構成された選択部と、
前記移動通信端末に対して、前記選択部によって選択された前記遷移先周波数への遷移を指示するように構成された指示部とを備え、
前記選択部は、前記遷移先周波数への遷移を指示してから経過した経過時間が所定時間を超えるまで、前記移動通信端末が利用すべき周波数の候補から前記遷移元周波数を除外することを特徴とするネットワーク装置。
【請求項６】
所定エリアにおいて、複数の周波数を利用可能に構成された移動通信システムに設けられるネットワーク装置であって、
前記複数の周波数のいずれかである遷移元周波数を移動通信端末が利用すべきではない条件が満たされる場合に、前記複数の周波数の中から、遷移先周波数を選択するように構成された選択部と、
前記移動通信端末に対して、前記選択部によって選択された前記遷移先周波数への遷移を指示するように構成された指示部と、
前記遷移先周波数への遷移を指示する場合に、前記移動通信端末の位置情報である第１位置情報を取得するように構成されており、前記移動通信端末が利用すべき周波数を再選択する条件が満たされる場合に、前記移動通信端末の位置情報である第２位置情報を取得するように構成された取得部とを備え、
前記選択部は、前記移動通信端末が利用すべき周波数を再選択する条件が満たされる場合に、前記第１位置情報及び第２位置情報によって特定される距離が所定距離よりも近い場合に、前記移動通信端末が利用すべき周波数の候補から前記遷移元周波数を除外することを特徴とするネットワーク装置。
【請求項７】
所定エリアにおいて、複数の周波数を利用可能に構成された移動通信システムに適用される移動通信方法であって、
前記複数の周波数のいずれかである遷移元周波数を移動通信端末が利用すべきではない条件が満たされる場合に、前記複数の周波数の中から、遷移先周波数を選択するステップＡと、
前記移動通信端末に対して、前記ステップＡで選択された前記遷移先周波数への遷移を指示するステップＢと、
前記遷移先周波数への遷移を指示してから経過した経過時間が所定時間を超えるまで、前記移動通信端末が利用すべき周波数の候補から前記遷移元周波数を除外するステップＣとを備えることを特徴とする移動通信方法。
【請求項８】
所定エリアにおいて、複数の周波数を利用可能に構成された移動通信システムに適用される移動通信方法であって、
前記複数の周波数のいずれかである遷移元周波数を移動通信端末が利用すべきではない条件が満たされる場合に、前記複数の周波数の中から、遷移先周波数を選択するステップＡと、
前記移動通信端末に対して、前記ステップＡで選択された前記遷移先周波数への遷移を指示するステップＢと、
前記遷移先周波数への遷移を指示する場合に、前記移動通信端末の位置情報である第１位置情報を取得するように構成されており、前記移動通信端末が利用すべき周波数を再選択する条件が満たされる場合に、前記移動通信端末の位置情報である第２位置情報を取得するステップＣと、
前記移動通信端末が利用すべき周波数を再選択する条件が満たされる場合に、前記第１位置情報及び第２位置情報によって特定される距離が所定距離よりも近い場合に、前記移動通信端末が利用すべき周波数の候補から前記遷移元周波数を除外するステップＤとを備えることを特徴とする移動通信方法。
【発明の詳細な説明】
【技術分野】
【０００１】
本発明は、所定エリアにおいて、複数の周波数を利用可能に構成される移動通信システム、移動通信システムで用いられるネットワーク装置及び移動通信方法に関する。
【背景技術】
【０００２】
ＣＳＧ（Ｃｌｏｓｅｄ  Ｓｕｂｓｃｒｉｂｅｒ  Ｇｒｏｕｐ）セル、ホームセル又はフェムトセルなどと称される特定セルが知られている（例えば、非特許文献１）。なお、特定セルには、アクセス種別を設定することが可能である。アクセス種別は、「Ｃｌｏｓｅｄ」、「Ｈｙｂｒｉｄ」又は「Ｏｐｅｎ」である。
【０００３】
「Ｃｌｏｓｅｄ」の特定セルは、特定ユーザ（ＵＥ；Ｕｓｅｒ  Ｅｑｕｉｐｍｅｎｔ）に対するサービスの提供のみが許可されるように構成される。「Ｈｙｂｒｉｄ」の特定セルは、特定ユーザに対して他のユーザ（非特定ユーザ）よりも高品質の通信が許可されるように構成される。「Ｏｐｅｎ」の特定セルは、一般的なマクロセルと同様に、全てのユーザに対するサービスの提供が許可されるように構成される。
【０００４】
また、所定条件が満たされる場合に、ネットワーク側から移動通信端末に対して、異周波数への遷移を指示する移動通信システムが知られている。所定条件は、例えば、（１）アクセス種別が設定された特定セルへの遷移を非特定ユーザが要求すること、（２）現周波数で移動通信端末が受ける干渉が所定閾値を超えることなどである。
【０００５】
なお、「遷移」は、移動通信端末が通信中（Ｃｏｎｎｅｃｔｅｄ）である場合には、通信セル（周波数）の変更を意味する。また、「遷移」は、移動通信端末が待ち受け中（Ｉｄｌｅ）である場合には、待受セル（周波数）の変更を意味する。
【先行技術文献】
【特許文献】
【０００６】
【特許文献１】３ＧＰＰ  ＴＳ２２．２２０
【発明の概要】
【発明が解決しようとする課題】
【０００７】
例えば、移動通信端末がセル＃１（周波数＃１）で待ち受け又は通信を行っている場合に、セル＃２（周波数＃２）への遷移が移動通信端末に対して指示されたケースについて考える。
【０００８】
このようなケースにおいて、セル＃２（周波数＃２）に遷移した移動通信端末がセル＃１（周波数＃１）への遷移を再び要求してしまうと、異周波数への遷移の再指示が必要になることが考えられる。
【０００９】
また、無線基地局に割り当てられる周波数は、複数の無線基地局間で再利用されるため、セル＃１（周波数＃１）への遷移を恒久的に禁止してしまうことも好ましくない。
【００１０】
そこで、本発明は、上述した課題を解決するためになされてものであり、異周波数への遷移の再指示を適切に抑制することを可能とする移動通信システム、ネットワーク装置及び移動通信方法を提供することを目的とする。
【課題を解決するための手段】
【００１１】
第１の特徴に係る移動通信システムは、所定エリアにおいて、複数の周波数を利用可能に構成される。移動通信システムは、前記複数の周波数のいずれかである遷移元周波数を移動通信端末が利用すべきではない条件が満たされる場合に、前記複数の周波数の中から、遷移先周波数を選択するように構成された選択部と、前記移動通信端末に対して、前記選択部によって選択された前記遷移先周波数への遷移を指示するように構成された指示部とを備える。前記選択部は、前記遷移先周波数への遷移を指示してから経過した経過時間が所定時間を超えるまで、前記移動通信端末が利用すべき周波数の候補から前記遷移元周波数を除外する。
【００１２】
第２の特徴に係る移動通信システムは、所定エリアにおいて、複数の周波数を利用可能に構成される。移動通信システムは、前記複数の周波数のいずれかである遷移元周波数を移動通信端末が利用すべきではない条件が満たされる場合に、前記複数の周波数の中から、遷移先周波数を選択するように構成された選択部と、前記移動通信端末に対して、前記選択部によって選択された前記遷移先周波数への遷移を指示するように構成された指示部と、前記遷移先周波数への遷移を指示する場合に、前記移動通信端末の位置情報である第１位置情報を取得するように構成されており、前記移動通信端末が利用すべき周波数を再選択する条件が満たされる場合に前記移動通信端末の位置情報である第２位置情報を取得するように構成された取得部とを備える。前記選択部は、前記移動通信端末が利用すべき周波数を再選択する条件が満たされる場合に、前記第１位置情報及び第２位置情報によって特定される距離が所定距離よりも近い場合に、前記移動通信端末が利用すべき周波数の候補から前記遷移元周波数を除外する。
【００１３】
第１の特徴又は第２の特徴において、前記遷移元周波数を前記移動通信端末が利用すべきではない条件は、前記移動通信端末のアクセスが制限された特定セルで用いる周波数が前記遷移元周波数と同じであることである。
【００１４】
第１の特徴又は第２の特徴において、前記遷移元周波数を前記移動通信端末が利用すべきではない条件は、前記遷移元周波数において前記移動通信端末が受ける干渉量が所定干渉量を超えることである。
【００１５】
第３の特徴に係るネットワーク装置は、所定エリアにおいて、複数の周波数を利用可能に構成された移動通信システムに設けられる。ネットワーク装置は、前記複数の周波数のいずれかである遷移元周波数を移動通信端末が利用すべきではない条件が満たされる場合に、前記複数の周波数の中から、遷移先周波数を選択するように構成された選択部と、前記移動通信端末に対して、前記選択部によって選択された前記遷移先周波数への遷移を指示するように構成された指示部とを備える。前記選択部は、前記遷移先周波数への遷移を指示してから経過した経過時間が所定時間を超えるまで、前記移動通信端末が利用すべき周波数の候補から前記遷移元周波数を除外する。
【００１６】
第４の特徴に係るネットワーク装置は、所定エリアにおいて、複数の周波数を利用可能に構成された移動通信システムに設けられる。ネットワーク装置は、前記複数の周波数のいずれかである遷移元周波数を移動通信端末が利用すべきではない条件が満たされる場合に、前記複数の周波数の中から、遷移先周波数を選択するように構成された選択部と、前記移動通信端末に対して、前記選択部によって選択された前記遷移先周波数への遷移を指示するように構成された指示部と、前記遷移先周波数への遷移を指示する場合に、前記移動通信端末の位置情報である第１位置情報を取得するように構成されており、前記移動通信端末が利用すべき周波数を再選択する条件が満たされる場合に、前記移動通信端末の位置情報である第２位置情報を取得するように構成された取得部とを備える。前記選択部は、前記移動通信端末が利用すべき周波数を再選択する条件が満たされる場合に、前記第１位置情報及び第２位置情報によって特定される距離が所定距離よりも近い場合に、前記移動通信端末が利用すべき周波数の候補から前記遷移元周波数を除外する。
【００１７】
第５の特徴に係る移動通信方法は、所定エリアにおいて、複数の周波数を利用可能に構成された移動通信システムに適用される。移動通信方法は、前記複数の周波数のいずれかである遷移元周波数を移動通信端末が利用すべきではない条件が満たされる場合に、前記複数の周波数の中から、遷移先周波数を選択するステップＡと、前記移動通信端末に対して、前記ステップＡで選択された前記遷移先周波数への遷移を指示するステップＢと、前記遷移先周波数への遷移を指示してから経過した経過時間が所定時間を超えるまで、前記移動通信端末が利用すべき周波数の候補から前記遷移元周波数を除外するステップＣとを備える。
【００１８】
第６の特徴に係る移動通信方法は、所定エリアにおいて、複数の周波数を利用可能に構成された移動通信システムに適用される。移動通信方法は、前記複数の周波数のいずれかである遷移元周波数を移動通信端末が利用すべきではない条件が満たされる場合に、前記複数の周波数の中から、遷移先周波数を選択するステップＡと、前記移動通信端末に対して、前記ステップＡで選択された前記遷移先周波数への遷移を指示するステップＢと、前記遷移先周波数への遷移を指示する場合に、前記移動通信端末の位置情報である第１位置情報を取得するように構成されており、前記移動通信端末が利用すべき周波数を再選択する条件が満たされる場合に、前記移動通信端末の位置情報である第２位置情報を取得するステップＣと、前記移動通信端末が利用すべき周波数を再選択する条件が満たされる場合に、前記第１位置情報及び第２位置情報によって特定される距離が所定距離よりも近い場合に、前記移動通信端末が利用すべき周波数の候補から前記遷移元周波数を除外するステップＤとを備える。
【発明の効果】
【００１９】
本発明によれば、異周波数への遷移の再指示を適切に抑制することを可能とする移動通信システム、ネットワーク装置及び移動通信方法を提供することができる。
【図面の簡単な説明】
【００２０】
【図１】第１実施形態に係る移動通信システム１００を示す図である。
【図２】第１実施形態に係るセルの構成例を示す図である。
【図３】第１実施形態に係るネットワーク装置２０を示す図である。
【図４】第１実施形態に係る記憶部２４に記憶された情報例を示す図である。
【図５】第１実施形態に係る移動通信システム１００の動作を示すフロー図である。
【図６】第１実施形態に係る移動通信システム１００の動作を示すフロー図である。
【図７】第１実施形態に係る移動通信システム１００の動作を示すフロー図である。
【図８】変更例１に係る移動通信システム１００を示す図である。
【発明を実施するための形態】
【００２１】
以下において、本発明の実施形態に係る移動通信システムについて、図面を参照しながら説明する。なお、以下の図面の記載において、同一又は類似の部分には、同一又は類似の符号を付している。
【００２２】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２３】
［実施形態の概要］
第１に、実施形態に係る移動通信システムは、所定エリアにおいて、複数の周波数を利用可能に構成される。移動通信システムは、複数の周波数のいずれかである遷移元周波数を移動通信端末が利用すべきではない条件が満たされる場合に、複数の周波数の中から、遷移先周波数を選択するように構成された選択部と、移動通信端末に対して、選択部によって選択された遷移先周波数への遷移を指示するように構成された指示部とを備える。選択部は、遷移先周波数への遷移を指示してから経過した経過時間が所定時間を超えるまで、移動通信端末が利用すべき周波数の候補から遷移元周波数を除外する。
【００２４】
実施形態では、選択部は、遷移先周波数への遷移を指示してから経過した経過時間が所定時間を超えるまで、移動通信端末が利用すべき周波数の候補から遷移元周波数を除外する。
【００２５】
従って、遷移元周波数への遷移を恒久的に禁止せずに、異周波数への遷移の再指示が短期間に繰り返されることを抑制することができる。
【００２６】
第２に、実施形態に係る移動通信システムは、所定エリアにおいて、複数の周波数を利用可能に構成される。移動通信システムは、複数の周波数のいずれかである遷移元周波数を移動通信端末が利用すべきではない条件が満たされる場合に、複数の周波数の中から、遷移先周波数を選択するように構成された選択部と、移動通信端末に対して、選択部によって選択された遷移先周波数への遷移を指示するように構成された指示部と、遷移先周波数への遷移を指示する場合に、移動通信端末の位置情報である第１位置情報を取得するように構成されており、移動通信端末が利用すべき周波数を再選択する条件が満たされる場合に移動通信端末の位置情報である第２位置情報を取得するように構成された取得部とを備える。選択部は、移動通信端末が利用すべき周波数を再選択する条件が満たされる場合に、第１位置情報及び第２位置情報によって特定される距離が所定距離よりも近い場合に、移動通信端末が利用すべき周波数の候補から遷移元周波数を除外する。
【００２７】
実施形態では、選択部は、第１位置情報及び第２位置情報によって特定される距離が所定距離よりも近い場合に、移動通信端末が利用すべき周波数の候補から遷移元周波数を除外する。
【００２８】
従って、遷移元周波数への遷移を恒久的に禁止せずに、異周波数への遷移の再指示が短期間に繰り返されることを抑制することができる。
【００２９】
［第１実施形態］
（移動通信システムの構成）
以下において、第１実施形態に係る移動通信システムの構成について、図面を参照しながら説明する。図１は、第１実施形態に係る移動通信システム１００を示す図である。
【００３０】
図１に示すように、移動通信システム１００は、通信端末装置１０（以下、ＵＥ１０）と、コアネットワーク５０とを含む。また、移動通信システム１００は、第１通信システムと第２通信システムとを含む。
【００３１】
第１通信システムは、例えば、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）に対応する通信システムである。第１通信システムは、基地局１１０Ａ（以下、ＮＢ１１０Ａ）と、ホーム基地局１１０Ｂ（以下、ＨＮＢ１１０Ｂ）と、ＲＮＣ１２０Ａと、ホーム基地局ゲートウェイ１２０Ｂ（以下、ＨＮＢ−ＧＷ１２０Ｂ）と、ＳＧＳＮ１３０とを有する。
【００３２】
なお、第１通信システムに対応する無線アクセスネットワーク（ＵＴＲＡＮ；Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）は、ＮＢ１１０Ａ、ＨＮＢ１１０Ｂ、ＲＮＣ１２０Ａ、ＨＮＢ−ＧＷ１２０Ｂによって構成される。
【００３３】
第２通信システムは、例えば、ＬＴＥ（Ｌｏｎｇ  Ｔｅｒｍ  Ｅｖｏｌｕｔｉｏｎ）に対応する通信システムである。第２通信システムは、例えば、基地局２１０Ａ（以下、ｅＮＢ２１０Ａ）と、ホーム基地局２１０Ｂ（以下、ＨｅＮＢ２１０Ｂ）と、ホーム基地局ゲートウェイ２２０Ｂ（以下、ＨｅＮＢ−ＧＷ２２０Ｂ）と、ＭＭＥ２３０とを有する。
【００３４】
なお、第２通信システムに対応する無線アクセスネットワーク（Ｅ−ＵＴＲＡＮ；Ｅｖｏｌｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）は、ｅＮＢ２１０Ａ、ＨｅＮＢ２１０Ｂ及びＨｅＮＢ−ＧＷ２２０Ｂによって構成される。
【００３５】
ＵＥ１０は、第１通信システム或いは第２通信システムと通信を行うように構成された装置（Ｕｓｅｒ  Ｅｑｕｉｐｍｅｎｔ）である。例えば、ＵＥ１０は、ＮＢ１１０Ａ及びＨＮＢ１１０Ｂと無線通信を行う機能を有する。或いは、ＵＥ１０は、ｅＮＢ２１０Ａ及びＨｅＮＢ２１０Ｂと無線通信を行う機能を有する。
【００３６】
ＮＢ１１０Ａは、マクロセル１１１Ａを有しており、マクロセル１１１Ａに存在するＵＥ１０と無線通信を行う装置（ＮｏｄｅＢ）である。
【００３７】
ＨＮＢ１１０Ｂは、特定セル１１１Ｂを有しており、特定セル１１１Ｂに存在するＵＥ１０と無線通信を行う装置（Ｈｏｍｅ  ＮｏｄｅＢ）である。
【００３８】
ＲＮＣ１２０Ａは、ＮＢ１１０Ａに接続されており、マクロセル１１１Ａに存在するＵＥ１０と無線接続（ＲＲＣ  Ｃｏｎｎｅｃｔｉｏｎ）を設定する装置（Ｒａｄｉｏ  Ｎｅｔｗｏｒｋ  Ｃｏｎｔｒｏｌｌｅｒ）である。
【００３９】
ＨＮＢ−ＧＷ１２０Ｂは、ＨＮＢ１１０Ｂに接続されており、特定セル１１１Ｂに存在するＵＥ１０と無線接続（ＲＲＣ  Ｃｏｎｎｅｃｔｉｏｎ）を設定する装置（Ｈｏｍｅ  ＮｏｄｅＢ  Ｇａｔｅｗａｙ）である。
【００４０】
ＳＧＳＮ１３０は、パケット交換ドメインにおいてパケット交換を行う装置（Ｓｅｒｖｉｎｇ  ＧＰＲＳ  Ｓｕｐｐｏｒｔ  Ｎｏｄｅ）である。ＳＧＳＮ１３０は、コアネットワーク５０に設けられる。図１では省略しているが、回線交換ドメインにおいて回線交換を行う装置（ＭＳＣ；Ｍｏｂｉｌｅ  Ｓｗｉｔｃｈｉｎｇ  Ｃｅｎｔｅｒ）がコアネットワーク５０に設けられていてもよい。
【００４１】
ｅＮＢ２１０Ａは、マクロセル２１１Ａを有しており、マクロセル２１１Ａに存在するＵＥ１０と無線通信を行う装置（ｅｖｏｌｖｅｄ  ＮｏｄｅＢ）である。
【００４２】
ＨｅＮＢ２１０Ｂは、特定セル２１１Ｂを有しており、特定セル２１１Ｂに存在するＵＥ１０と無線通信を行う装置（Ｈｏｍｅ  ｅｖｏｌｖｅｄ  ＮｏｄｅＢ）である。
【００４３】
ＨｅＮＢ−ＧＷ２２０Ｂは、ＨｅＮＢ２１０Ｂに接続されており、ＨｅＮＢ２１０Ｂを管理する装置（Ｈｏｍｅ  ｅｖｏｌｖｅｄ  ＮｏｄｅＢ  Ｇａｔｅｗａｙ）である。
【００４４】
ＭＭＥ２３０は、ｅＮＢ２１０Ａと接続されており、ｅＮＢ２１０Ａと無線接続を設定しているＵＥ１０の移動性を管理する装置（Ｍｏｂｉｌｉｔｙ  Ｍａｎａｇｅｍｅｎｔ  Ｅｎｔｉｔｙ）である。また、ＭＭＥ２３０は、ＨｅＮＢ−ＧＷ２２０Ｂを介してＨｅＮＢ２１０Ｂと接続されており、ＨｅＮＢ２１０Ｂと無線接続を設定しているＵＥ１０の移動性を管理する装置である。
【００４５】
なお、マクロセル及び特定セルは、ＵＥ１０と無線通信を行う機能として理解すべきである。但し、マクロセル及び特定セルは、セルのサービスエリアを示す用語としても用いられる。また、マクロセル及び特定セルなどのセルは、セルで用いられる周波数、拡散コード又はタイムスロットなどによって識別される。
【００４６】
特定セルは、フェムトセル、ＣＳＧ（Ｃｌｏｓｅｄ  Ｓｕｂｓｃｒｉｂｅｒ  Ｇｒｏｕｐ）セル、ホームセルなどと称されることもある。また、特定セルは、特定セルにアクセス可能なＵＥ１０を規定するアクセス種別が設定可能に構成されている。アクセス種別は、「Ｃｌｏｓｅｄ」、「Ｈｙｂｒｉｄ」又は「Ｏｐｅｎ」である。
【００４７】
「Ｃｌｏｓｅｄ」の特定セルは、特定セルによって管理される特定ユーザ（ＵＥ；Ｕｓｅｒ  Ｅｑｕｉｐｍｅｎｔ）に対するサービスの提供のみが許可されるように構成される。
【００４８】
「Ｈｙｂｒｉｄ」の特定セルは、例えば、特定セルによって管理される特定ユーザに対して高品質の通信が許可されるように構成されており、特定セルによって管理されていない非特定ユーザに対してベストエフォート品質の通信が許可されるように構成される。
【００４９】
「Ｏｐｅｎ」の特定セルは、マクロセルと同様に、全てのＵＥ１０に対するサービスの提供が許可されるように構成される。なお、「Ｏｐｅｎ」のセルでは、特定セルによって管理されている否かによって、ＵＥ１０間の通信品質の差異が区別されない。
【００５０】
なお、アクセス種別は、アクセスクラス毎にＵＥ１０のアクセスを禁止する「ＡＣＣＥＳＳ  ＣＬＡＳＳ  ＢＡＲＲＥＤ」、セル毎にＵＥ１０のアクセスを禁止する「ＣＥＬＬ  ＢＡＲＲＥＤ」であってもよい。
【００５１】
（セルの構成例）
以下において、第１実施形態に係るセルの構成例について、図面を参照しながら説明する。図２は、第１実施形態に係るセルの構成例を示す図である。ここでは、３つの周波数（α〜γ）を例に挙げて説明する。また、マクロセル３１１Ａ、マクロセル３１２Ａ及びマクロセル３１３Ａは、同一のサービスエリアを有する。このように、移動通信システム１００では、所定エリアにおいて複数の周波数が利用可能である。
【００５２】
図２に示すように、周波数αでは、マクロセル３１１Ａのサービスエリアと重複するサービスエリアを有する１つの特定セル３１１Ｂが設けられる。また、特定セル３１１Ｂのサービスエリアは、マクロセル３１１Ａのサービスエリアよりも小さい。
【００５３】
周波数βでは、マクロセル３１２Ａのサービスエリアと重複するサービスエリアを有する２つの特定セル３１２Ｂが設けられる。また、マクロセル３１２Ａのサービスエリアは、マクロセル３１２Ａのサービスエリアよりも小さい。
【００５４】
周波数γでは、マクロセル３１３Ａのサービスエリアと重複するサービスエリアを有する特定セルが設けられていない。
【００５５】
なお、図２では、マクロセル１１１Ａ及びマクロセル２１１Ａを区別せずに、マクロセル全般をマクロセル３１１Ａ〜マクロセル３１３Ａと称していることに留意すべきである。同様に、特定セル１１１Ｂ及び特定セル２１１Ｂを区別せずに、特定セル全般を特定セル３１１Ｂ〜特定セル３１２Ｂと称していることに留意すべきである。
【００５６】
ここで、マクロセル１１１Ａ（周波数α）を利用するＵＥ１０Ａから特定セル３１１Ｂへのアクセスが禁止されているケース、すなわち、ＵＥ１０Ａが非特定ユーザであるケースについて考える。ＵＥ１０Ａが特定セル３１１Ｂに近づくため、ＵＥ１０Ａにおいて特定セル３１１Ｂからの電波強度が大きくなることが考えられる。このようなケースにおいて、ＵＥ１０Ａから特定セル３１１Ｂへの遷移要求を送信しても、遷移要求は拒否される。或いは、特定セル３１１Ｂからの電波によってＵＥ１０Ａが受ける干渉が大きくなる。すなわち、ＵＥ１０Ａは、周波数αにおいて、待ち受けや通信を継続することができない。従って、ネットワーク側は、異周波数（例えば、周波数β）への遷移をＵＥ１０Ａに指示する。但し、異周波数（例えば、周波数β）への遷移を指示しても、ＵＥ１０Ａが特定セル３１１Ｂに近づくと、特定セル３１１Ｂへの遷移をＵＥ１０Ａが再び要求する可能性が高いことに留意すべきである。
【００５７】
同様に、マクロセル３１２Ａ（周波数β）を利用するＵＥ１０Ｂから特定セル３１２Ｂへのアクセスが禁止されているケース、すなわち、ＵＥ１０Ｂが非特定ユーザであるケースについて考える。ＵＥ１０Ｂが特定セル３１２Ｂに近づくため、ＵＥ１０Ｂにおいて特定セル３１２Ｂからの電波強度が大きくなることが考えられる。このようなケースにおいて、ＵＥ１０Ｂから特定セル３１２Ｂへの遷移要求を送信しても、遷移要求は拒否される。或いは、特定セル３１２Ｂからの電波によってＵＥ１０Ｂが受ける干渉が大きくなる。すなわち、ＵＥ１０Ｂは、周波数βにおいて、待ち受けや通信を継続することができない。従って、例えば、ネットワーク側は、異周波数（例えば、周波数γ）への遷移をＵＥ１０Ｂに指示する。但し、異周波数（例えば、周波数γ）への遷移を指示しても、ＵＥ１０Ｂが特定セル３１２Ｂに近づくと、特定セル３１２Ｂへの遷移をＵＥ１０Ｂが再び要求する可能性が高いことに留意すべきである。
【００５８】
（ネットワーク装置の構成）
以下において、第１実施形態に係るネットワーク装置の構成について、図面を参照しながら説明する。図３は、第１実施形態に係るネットワーク装置２０を示す図である。図３に示すように、ネットワーク装置２０は、通信部２１と、指示部２２と、監視タイマ２３と、記憶部２４と、選択部２５とを有する。
【００５９】
なお、ネットワーク装置２０は、マクロセルを管理する装置（例えば、ＮＢ１１０Ａ、ｅＮＢ２１０Ａ）であってもよい。或いは、ネットワーク装置２０は、マクロセルを管理する装置の上位に設けられた装置（例えば、ＲＮＣ１２０Ａ、ＳＧＳＮ１３０、ＭＭＥ２３０）であってもよい。
【００６０】
また、以下においては、図２に示すセルがネットワーク装置２０の配下に設けられているケースについて例示する。
【００６１】
通信部２１は、ＵＥ１０と通信を行う。また、通信部２１は、他のネットワーク装置と通信を行う。
【００６２】
例えば、通信部２１は、特定セル３１１Ｂ又は特定セル３１２Ｂを管理する装置（ＨＮＢ１１０Ｂ、ＨＮＢ−ＧＷ１２０Ｂ、ＨｅＮＢ２１０Ｂ又はＨｅＮＢ−ＧＷ２２０Ｂ）を経由して、特定セル３１１Ｂ又は特定セル３１２Ｂへの遷移要求をＵＥ１０（非特定ユーザ）から受信する。或いは、通信部２１は、ＵＥ１０が受ける干渉量が所定干渉量を超えることを示す干渉量増加報告をＵＥ１０から受信する。
【００６３】
また、通信部２１は、複数の周波数（例えば、図２に示す周波数α、β、γ）のいずれかである遷移元周波数を移動通信端末が利用すべきではない条件が満たされる場合に、ＵＥ１０の位置情報（第１位置情報）をＵＥ１０から受信（取得）する。すなわち、通信部２１は、遷移先周波数への遷移を指示する場合に、ＵＥ１０の位置情報（第１位置情報）をＵＥ１０から受信（取得）する。
【００６４】
なお、ＵＥ１０の位置情報は、ＵＥ１０に設けられるＧＰＳ機能によって取得されてもよい。或いは、ＵＥ１０の位置情報は、特定セル又はマクロセルを管理する無線基地局とＵＥ１０との遅延時間（Ｐｒｏｐａｇａｔｉｏｎ  Ｄｅｌａｙ）によって取得されてもよい（例えば、３ＧＰＰ  ＴＳ２５．４３３  Ｓｕｂｃｌａｕｓｅ  ９．２．２．２６を参照）。Ｐｒｏｐａｇａｔｉｏｎ  Ｄｅｌａｙにおいて、ネットワーク装置２０は、特定セル又はマクロセルを管理する無線基地局から取得する遅延時間に基づいて、ＵＥ１０の位置情報を取得する。
【００６５】
ここで、遷移元周波数を移動通信端末が利用すべきではない条件は、例えば、（ａ）ＵＥ１０のアクセスが制限された特定セルで用いる周波数が遷移元周波数と同じであること、或いは、（ｂ）遷移元周波数においてＵＥ１０が受ける干渉量が所定干渉量を超えることである。
【００６６】
さらに、通信部２１は、ＵＥ１０が利用すべき周波数を再選択する条件が満たされる場合に、ＵＥ１０の位置情報（第２位置情報）をＵＥ１０から受信（取得）する。
【００６７】
上述したように、ＵＥ１０の位置情報は、ＵＥ１０に設けられるＧＰＳ機能によって取得されてもよい。或いは、ＵＥ１０の位置情報は、特定セル又はマクロセルを管理する無線基地局とＵＥ１０との遅延時間（Ｐｒｏｐａｇａｔｉｏｎ  Ｄｅｌａｙ）によって取得されてもよい（例えば、３ＧＰＰ  ＴＳ２５．４３３  Ｓｕｂｃｌａｕｓｅ  ９．２．２．２６を参照）。
【００６８】
ここで、ＵＥ１０が利用すべき周波数を再選択する条件は、例えば、（ａ）ＵＥ１０が通信開始を要求すること、或いは、（ｂ）ＵＥ１０と設定するチャネルを共通チャネルから個別チャネルに切り替えることである。ここで、ＵＥ１０が行う通信のデータ量（上り方向又は下り方向）が増大すると、共通チャネルから個別チャネルへの切り替えが行われる。なお、ＵＥ１０が行う通信のデータ量（上り方向又は下り方向）が減少すると、個別チャネルから共通チャネルへの切り替えが行われる。
【００６９】
指示部２２は、遷移元周波数を移動通信端末が利用すべきではない条件が満たされる場合に、異周波数への遷移をＵＥ１０に指示する。なお、ＵＥ１０が遷移すべき遷移先周波数は、後述する選択部２５によって選択される。すなわち、指示部２２は、選択部２５によって選択された遷移先周波数への遷移をＵＥ１０に指示する。
【００７０】
監視タイマ２３は、遷移先周波数への遷移をＵＥ１０に指示してから経過した時間を監視するためのタイマである。監視タイマ２３は、所定監視時間がセットされて、監視タイマ２３にセットされた時間をカウントダウンするように構成される。但し、監視タイマ２３は、遷移先周波数への遷移をＵＥ１０に指示してから経過した時間をカウントアップするように構成されていてもよい。
【００７１】
記憶部２４は、ネットワーク装置２０の動作に必要な各種情報を記憶する。例えば、記憶部２４は、遷移先周波数への遷移をＵＥ１０に指示する場合に、ＵＥ１０の位置情報（第１位置情報）をＵＥ１０と対応付けて記憶する。記憶部２４は、遷移先周波数への遷移をＵＥ１０に指示する場合に、遷移元周波数を取得して、遷移元周波数をＵＥ１０と対応付けて記憶する。
【００７２】
また、記憶部２４は、ネットワーク装置２０の配下に設けられたマクロセルの周辺に設けられる特定セルの位置情報を記憶する。このような特定セルの位置情報は、オペレータなどによって予め登録されていてもよい。或いは、このような特定セルの位置情報は、マクロセルを有する無線基地局（ＮＢ１１０ＡやｅＮＢ２１０Ａ）が特定セルからの報知情報を取得して、無線基地局が取得する報知情報を無線基地局から取得することによって特定されてもよい。
【００７３】
選択部２５は、ＵＥ１０が利用すべき周波数を選択する。具体的には、選択部２５は、以下の２つの条件のいずれかが満たされると、ＵＥ１０が利用すべき周波数を選択する。
【００７４】
第１に、選択部２５は、遷移元周波数をＵＥ１０が利用すべきではない条件が満たされる場合に、所定エリアで利用可能な複数の周波数（例えば、図２に示す周波数α、β、γ）の中から、遷移先周波数を選択する。
【００７５】
第２に、選択部２５は、ＵＥ１０が利用すべき周波数を再選択する条件が満たされる場合に、所定エリアで利用可能な複数の周波数（例えば、図２に示す周波数α、β、γ）の中から、遷移先周波数を選択する。
【００７６】
ここで、選択部２５は、監視タイマ２３がタイムアウトするまで、ＵＥ１０が利用すべき周波数の候補から、記憶部２４に記憶された遷移元周波数を除外する。
【００７７】
また、選択部２５は、ＵＥ１０の位置情報（第１位置情報）及びＵＥ１０の位置情報（第２位置情報）によって特定される距離が所定距離よりも近い場合に、ＵＥ１０が利用すべき周波数の候補から、記憶部２４に記憶された遷移元周波数を除外する。或いは、選択部２５は、ＵＥ１０の位置情報（第１位置情報）及びＵＥ１０の位置情報（第２位置情報）によって特定される距離が所定距離よりも離れている場合には、記憶部２４に記憶された遷移元周波数をＵＥ１０が利用すべき周波数の候補に含める。すなわち、選択部２５は、第１位置情報によって特定される位置と第２位置情報によって特定される位置との差分（距離）が所定距離よりも離れている場合には、監視タイマ２３がタイムアウトする前であっても、ＵＥ１０が利用すべき周波数の候補に遷移元周波数を含める。
【００７８】
（ネットワーク装置の動作）
以下において、第１実施形態に係るネットワーク装置の動作について、図面を参照しながら説明する。図５〜図７は、第１実施形態に係るネットワーク装置２０の動作を示すフロー図である。
【００７９】
第１に、ＵＥ１０のアクセスが制限された特定セルで用いる周波数が遷移元周波数と同じであるケースについて、図５を参照しながら説明する。
【００８０】
図５に示すように、ステップ１０において、ネットワーク装置２０は、ＵＥ１０（非特定ユーザ）から、特定セルへの遷移要求を受信する。なお、ネットワーク装置２０は、特定セルを管理する装置を経由して、特定セルへの遷移要求を受信する。遷移要求は、ＵＥ１０（非特定ユーザ）の同期外れに起因する再接続要求を含むことは勿論である。
【００８１】
ステップ１１において、ネットワーク装置２０は、ＵＥ１０（非特定ユーザ）が遷移を要求する特定セルの位置情報が記憶部２４に記憶されているか否かを判定する。特定セルの位置情報が記憶部２４に記憶されている場合には、ネットワーク装置２０は、ステップ１２の処理に移る。特定セルの位置情報が記憶部２４に記憶されていない場合には、ネットワーク装置２０は、ステップ１３の処理に移る。
【００８２】
ステップ１２において、ネットワーク装置２０は、特定セルの位置情報をＵＥ１０の位置情報（第１位置情報）として記憶部２４に記憶する。
【００８３】
ステップ１３において、ネットワーク装置２０は、ＵＥ１０に対して、ＵＥ１０の位置情報を報告するように要求する。
【００８４】
ステップ１４において、ネットワーク装置２０は、ＵＥ１０の位置情報（第１位置情報）をＵＥ１０から受信する。なお、ＵＥ１０は、ＧＰＳ（Ｇｌｏｂａｌ  Ｐｏｓｉｔｉｏｎｉｎｇ  Ｓｙｓｔｅｍ）によって位置情報を取得してもよい。或いは、ＵＥ１０は、ＵＥ１０の周辺に設けられる報知情報に基づいて位置情報を取得してもよい。
【００８５】
ステップ１５において、ネットワーク装置２０は、ステップ１４で受信するＵＥ１０の位置情報（第１位置情報）を記憶部２４に記憶する。なお、ＵＥ１０の位置情報は、特定セル又はマクロセルを管理する無線基地局とＵＥ１０との遅延時間（Ｐｒｏｐａｇａｔｉｏｎ  Ｄｅｌａｙ）によって取得されてもよい（例えば、３ＧＰＰ  ＴＳ２５．４３３  Ｓｕｂｃｌａｕｓｅ  ９．２．２．２６を参照）。
【００８６】
ステップ１６において、ネットワーク装置２０は、現時点でＵＥ１０が利用する周波数（遷移元周波数）を記憶部２４に記憶する。
【００８７】
ステップ１７において、ネットワーク装置２０は、異周波数への遷移をＵＥ１０に指示する。
【００８８】
ステップ１８において、ネットワーク装置２０は、監視タイマ２３を起動する。例えば、ネットワーク装置２０は、所定監視時間を監視タイマ２３にセットする。
【００８９】
第２に、遷移元周波数においてＵＥ１０が受ける干渉量が所定干渉量を超えるケースについて、図６を参照しながら説明する。
【００９０】
図６に示すように、ステップ３０において、ネットワーク装置２０は、現時点でＵＥ１０が利用する周波数（遷移元周波数）においてＵＥ１０が受ける干渉量が所定干渉量を超えることを示す干渉量増加報告をＵＥ１０から受信する。
【００９１】
ステップ３１において、ネットワーク装置２０は、ＵＥ１０に対して、ＵＥ１０の位置情報を報告するように要求する。
【００９２】
ステップ３２において、ネットワーク装置２０は、ＵＥ１０の位置情報（第２位置情報）をＵＥ１０から受信する。なお、ＵＥ１０は、ＧＰＳ（Ｇｌｏｂａｌ  Ｐｏｓｉｔｉｏｎｉｎｇ  Ｓｙｓｔｅｍ）によって位置情報を取得してもよい。或いは、ＵＥ１０は、ＵＥ１０の周辺に設けられる報知情報に基づいて位置情報を取得してもよい。
【００９３】
ステップ３３において、ネットワーク装置２０は、ステップ３２で受信するＵＥ１０の位置情報（第２位置情報）を記憶部２４に記憶する。なお、ＵＥ１０の位置情報は、特定セル又はマクロセルを管理する無線基地局とＵＥ１０との遅延時間（Ｐｒｏｐａｇａｔｉｏｎ  Ｄｅｌａｙ）によって取得されてもよい（例えば、３ＧＰＰ  ＴＳ２５．４３３  Ｓｕｂｃｌａｕｓｅ  ９．２．２．２６を参照）。
【００９４】
ステップ３４において、ネットワーク装置２０は、現時点でＵＥ１０が利用する周波数（遷移元周波数）を記憶部２４に記憶する。
【００９５】
ステップ３５において、ネットワーク装置２０は、異周波数への遷移をＵＥ１０に指示する。
【００９６】
ステップ３６において、ネットワーク装置２０は、監視タイマ２３を起動する。例えば、ネットワーク装置２０は、所定監視時間を監視タイマ２３にセットする。
【００９７】
第３に、ＵＥ１０が利用すべき周波数を再選択する動作について、図７を参照しながら説明する。すなわち、以下の（ａ）又は（ｂ）をトリガーとして、図７に示すフローが開始する。
【００９８】
（ａ）ＵＥ１０が通信開始を要求する
（ｂ）ＵＥ１０と設定するチャネルを共通チャネルから個別チャネルに切り替える
図７に示すように、ステップ５０において、ネットワーク装置２０は、監視タイマ２３が起動中であるか否かを判定する。監視タイマ２３が起動中である場合には、ネットワーク装置２０は、ステップ５１の処理に移る。監視タイマ２３がタイムアップしている場合には、ネットワーク装置２０は、ステップ５３の処理に移る。
【００９９】
ステップ５１において、ネットワーク装置２０は、第１位置情報及び第２位置情報によって特定される距離が所定距離よりも離れているか判定する。距離が所定距離よりも離れている場合に、ネットワーク装置２０は、ステップ５３の処理に移る。距離が所定距離よりも離れていない場合に、ネットワーク装置２０は、ステップ５２の処理に移る。
【０１００】
ステップ５２において、ネットワーク装置２０は、ＵＥ１０が利用すべき周波数の候補から、記憶部２４に記憶された遷移元周波数を除外する。
【０１０１】
ステップ５３において、ネットワーク装置２０は、ＵＥ１０が利用すべき周波数の候補から、遷移先周波数を選択する。
【０１０２】
このように、監視タイマ２３がタイムアウトしておらず、かつ、第１位置情報及び第２位置情報によって特定される距離が所定距離よりも離れていない場合に、ＵＥ１０が利用すべき周波数の候補から、記憶部２４に記憶された遷移元周波数が除外される。
【０１０３】
（作用及び効果）
第１実施形態では、選択部２５は、遷移先周波数への遷移を指示してから経過した経過時間が所定時間を超えるまで、ＵＥ１０が利用すべき周波数の候補から遷移元周波数を除外する。
【０１０４】
従って、遷移元周波数への遷移を恒久的に禁止せずに、異周波数への遷移の再指示が短期間に繰り返されることを抑制することができる。
【０１０５】
第１実施形態では、選択部２５は、選択部２５は、第１位置情報によって特定される位置と第２位置情報によって特定される位置との差分（距離）が所定距離よりも離れている場合には、監視タイマ２３がタイムアウトする前であっても、ＵＥ１０が利用すべき周波数の候補から遷移元周波数を除外しない。
【０１０６】
すなわち、遷移元周波数にＵＥ１０が遷移したとしても、異周波数への遷移の再指示が繰り返される恐れがない場合には、ＵＥ１０が利用すべき周波数の候補に遷移元周波数を含める。従って、周波数の利用効率が向上する。
【０１０７】
［変更例１］
以下において、第１実施形態の変更例１について、図面を参照しながら説明する。以下においては、第１実施形態との相違点について主として説明する。
【０１０８】
具体的には、第１実施形態では、ＨＮＢ１１０Ｂの上位ノードは、ＨＮＢ−ＧＷ１２０Ｂである。一方で、変更例１では、図８に示すように、ＨＮＢ１１０Ｂの上位ノードは、ＲＮＣ１２０Ａである。
【０１０９】
変更例１では、ＲＮＣ１２０Ａは、ＨＮＢ−ＧＷ１２０Ｂに代わって、ＨＮＢ１１０Ｂを管理する。すなわち、ＲＮＣ１２０Ａは、ＲＮＣ１２０Ａの配下に属する装置に対して、ＨＮＢ−ＧＷ１２０Ｂと同様の機能を提供する。
【０１１０】
また、第１実施形態では、ＨｅＮＢ２１０Ｂの上位ノードは、ＨｅＮＢ−ＧＷ２２０Ｂである。一方で、変更例１では、図８に示すように、ＨｅＮＢ２１０Ｂの上位ノードは、ＭＭＥ２３０である。
【０１１１】
変更例１では、ＨｅＮＢ２１０Ｂは、ＨｅＮＢ−ＧＷ２２０Ｂに代わって、ＨｅＮＢ２１０Ｂの配下に属する装置に対して、ＨｅＮＢ−ＧＷ２２０Ｂと同様の機能を提供する。
【０１１２】
なお、ＨＮＢ−ＧＷ１２０Ｂのみが省略されてもよく、ＨｅＮＢ−ＧＷ２２０Ｂのみが省略されてもよい。
【０１１３】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１１４】
上述した実施形態では特に触れていないが、ＵＥ１０が異周波数への遷移を繰り返して、複数の遷移元周波数が存在する場合には、記憶部２４は、ＵＥ１０の位置情報や周波数を複数の遷移元周波数毎に記憶する。また、選択部２５は、ＵＥ１０が利用すべき周波数の候補に遷移元周波数を含めるか否かを複数の遷移元周波数毎に判断する。
【０１１５】
ネットワーク装置２０は、遷移先周波数への遷移を指示してから経過した経過時間と所定時間との比較のみによって、ＵＥ１０が利用すべき周波数の候補から遷移元周波数を除外するか否かを判定してもよい。或いは、ネットワーク装置２０は、第１位置情報及び第２位置情報によって特定される距離と所定距離との比較のみによって、ＵＥ１０が利用すべき周波数の候補から遷移元周波数を除外するか否かを判定してもよい。
【０１１６】
上述した実施形態において、ネットワーク装置２０に設けられた構成（通信部２１、指示部２２、監視タイマ２３、記憶部２４及び選択部２５）が一つの装置に設けられるケースについて例示した。しかしながら、実施形態は、これに限定されるものではない。すなわち、通信部２１、指示部２２、監視タイマ２３、記憶部２４及び選択部２５は、それぞれ、別々な装置に設けられていてもよい。
【０１１７】
各装置間の通信では、ＲＡＮＡＰ（Ｒａｄｉｏ  Ａｃｃｅｓｓ  Ｎｅｔｗｏｒｋ  Ａｐｐｌｉｃａｔｉｏｎ  Ｐａｒｔ）、ＮＢＡＰ（Ｎｏｄｅ  Ｂ  Ａｐｐｌｉｃａｔｉｏｎ  Ｐａｒｔ）、ＲＮＳＡＰ（Ｒａｄｉｏ  Ｎｅｔｗｏｒｋ  Ｓｕｂｓｙｓｔｅｍ  Ａｐｐｌｉｃａｔｉｏｎ  Ｐａｒｔ）、ＨＮＢＡＰ（Ｈｏｍｅ  Ｎｏｄｅ  Ｂ  Ａｐｐｌｉｃａｔｉｏｎ  Ｐａｒｔ）などの制御信号が用いられる。
【０１１８】
なお、ネットワーク装置２０の動作は、ハードウェアによって実施されてもよいし、プロセッサによって実行されるソフトウェアモジュールによって実施されてもよいし、両者の組み合わせによって実施されてもよい。
【０１１９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１２０】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ネットワーク装置２０内に設けられていてもよい。また、かかる記憶媒体及びプロセッサは、ディスクリートコンポーネントとしてネットワーク装置２０内に設けられていてもよい。
【符号の説明】
【０１２１】
１０…通信端末装置、２０…ネットワーク装置、２１…通信部、２２…指示部、２３…監視タイマ、２４…記憶部、２５…選択部、５０…コアネットワーク、１００…移動通信システム、１１０Ａ…ＮＢ、１１０Ｂ…ＨＮＢ、１１１Ａ…マクロセル、１１１Ｂ…特定セル、１２０Ａ…ＲＮＣ、１２０Ｂ…ＨＮＢ−ＧＷ、１３０…ＳＧＳＮ、２１０Ａ…ｅＮＢ、２１０Ｂ…ＨｅＮＢ、２１１Ａ…マクロセル、２１１Ｂ…特定セル、２２０Ｂ…ＨｅＮＢ−ＧＷ、２３０…ＭＭＥ、３１１Ａ〜３１３Ａ…マクロセル、３１１Ｂ〜３１２Ｂ…特定セル
【図１】
2011199774.tif 000003
【図２】
2011199774.tif 000004
【図３】
2011199774.tif 000005
【図４】
2011199774.tif 000006
【図５】
2011199774.tif 000007
【図６】
2011199774.tif 000008
【図７】
2011199774.tif 000009
【図８】
2011199774.tif 000010